Podtech/llm-jp-corpus-v4-ja_patent huggingface dataset:
(57)【要約】【課題】  組立てが簡単にできると共に、コストの低減も図り得るようにする。【解決手段】  ランド（端子接続部）１４を有する配線板１１のその端子接続部に接続端子１７，１８を接続するものにおいて、接続端子１７が所定の１本又は複数本存し、接続端子１８が接続端子１７の両側に少なくとも２本存して、それらを配線板１１の厚み方向に段違いに設け（１７ａ，１８ａ）、この接続端子１７，１８の段間に配線板１１を圧挿して、該配線板１１の端子接続部に接続端子１７，１８を接続するようにした。【選択図】  図１
2007018970.tif 000002
【特許請求の範囲】
【請求項１】
端子接続部を有する配線板のその端子接続部に接続端子を接続するものにおいて、
所定の１本又は複数本の接続端子とこれの両側に位置する少なくとも２本の接続端子とを配線板の厚み方向に段違いに設け、
この接続端子の段間に配線板を圧挿して、該配線板の前記端子接続部に接続端子を接続するようにしたことを特徴とする端子接続装置。
【発明の詳細な説明】
【技術分野】
【０００１】
本発明は、プリント基板等の配線板が有する端子接続部に接続端子を接続する端子接続装置に関する。
【背景技術】
【０００２】
従来より、配線板の一つとしてプリント基板がある。図４は、そのプリント基板１を示しており、このプリント基板１では、絶縁基板２の表面部と裏面部とに配線３が銅箔のパターンで設けられている。配線３は、端部にランド４を端子接続部として有しており、途中部に電子部品５が実装されている。そして、ランド４と絶縁基板２のランド４直下の部分には、それぞれ孔６が共通に形成されており、この孔６に、この場合、コネクタ７が有する接続端子８が裏側から挿通されて、その各挿通突出端部から各ランド４にかけてはんだ９を付着させることにより、接続端子８がはんだ９によってランド４すなわち端子接続部に接続されている。
【発明の開示】
【発明が解決しようとする課題】
【０００３】
上記従来のものの場合、プリント基板１のランド４に接続端子８を接続するのに、孔６に接続端子８をプリント基板１の裏側から挿通し、そして、その各挿通突出端部から各ランド４にかけてはんだ９を付着させるという手間が必要であり、組立てが面倒であった。又、その組立てが面倒であるのに加えて、逐一はんだ９を要するために、コスト高ともなっていた。
【０００４】
本発明は上述の事情に鑑みてなされたものであり、従ってその目的は、組立てが簡単にできて、コストの低減も図ることのできる端子接続装置を提供するにある。
【課題を解決するための手段】
【０００５】
上記目的を達成するために、本発明の端子接続装置は、端子接続部を有する配線板のその端子接続部に接続端子を接続するものにおいて、所定の１本又は複数本の接続端子とこれの両側に位置する少なくとも２本の接続端子とを配線板の厚み方向に段違いに設け、この接続端子の段間に配線板を圧挿して、該配線板の前記端子接続部に接続端子を接続するようにしたことを特徴とする。
【発明の効果】
【０００６】
上記手段によれば、配線板の端子接続部に接続端子を接続するのに、接続端子の段間に配線板を圧挿するだけで足り、はんだも必要とはしない。かくして、組立てを簡単になし得、コストの低減をも達成することができる。
【発明を実施するための最良の形態】
【０００７】
以下、本発明の一実施例（一実施形態）につき、図１ないし図３を参照して説明する。
まず、図３には、配線板１１を示しており、この配線板１１は、この場合、プリント基板であって、絶縁基板１２の表面部と裏面部とにそれぞれ配線１３を銅箔のパターンで設けている。配線１３は、ともに端部にランド１４を端子接続部として有しており、途中部に電子部品１５を実装している。
【０００８】
これに対して、この場合、コネクタ１６が有する接続端子には、所定の１本又は複数本（この場合、２本）の接続端子１７と、これの両側に位置する少なくとも２本（これも、この場合、２本）の接続端子１８とが存在し、その両者の各端部１７ａ，１８ａを配線板１１の厚み方向に段違いに折曲して設けている。そして、その段間の寸法は、配線板１１の厚みより小さく設定しており、各端部１７ａ，１８ａの位置は配線板１１におけるランド１４の位置に合わせている。
【０００９】
この構成で、接続端子１７，１８、特にこれらの各端部１７ａ，１８ａの段間に配線板１１を圧挿すれば、図１及び図２に示すように、配線板１１のランド１４に接続端子１７，１８（これも、特にはそれらの各端部１７ａ，１８ａ）が圧接し、接続される。
【００１０】
このように本構成のものでは、配線板１１の端子接続部であるランド１４に接続端子１７，１８を接続するのに、接続端子１７，１８の段間に配線板１１を圧挿するだけで足り、従来の、プリント基板１の孔６に接続端子８をプリント基板１の裏側から挿通し、そして、その各挿通突出端部から各ランド４にかけてはんだ９を付着させたもののような面倒もなければ、はんだも必要とはしない。かくして、組立てを簡単になすことができ、コストの低減をも達成することができる。又、はんだ９が含む鉛の使用もなくすことができる。
【００１１】
なお、接続端子１７は１本でも又は３本以上あっても良く、接続端子１８も３本以上あっても良い。
又、配線板１１は、プリント基板に限られず、絶縁板（インシュレータ）に帯状の金属板など条導体を表面を露出させ埋め込んで成るものであっても良い。
そのほか、本発明は上記し且つ図面に示した実施例にのみ限定されるものではなく、要旨を逸脱しない範囲内で適宜変更して実施し得る。
【図面の簡単な説明】
【００１２】
【図１】本発明の一実施例を示す組立状態での斜視図
【図２】組立状態での側面図
【図３】分解状態での斜視図
【図４】従来例を示す図１相当図
【符号の説明】
【００１３】
図面中、１１は配線板、１４はランド（端子接続部）、１７，１８は接続端子を示す。
【図１】
2007018970.tif 000003
【図２】
2007018970.tif 000004
【図３】
2007018970.tif 000005
【図４】
2007018970.tif 000006
(57)【要約】      （修正有）【課題】ケーブルの外導体を機械的にカシメ、２段構成とした細線同軸コネクタを提供する。【解決手段】（イ）共通グランド端子（１）に折り返し部（２）を設け、同軸ケーブルに対応する部位に概略円形状の貫通孔（３）を設ける。（ロ）プラグコネクタ（４）の本体モールド（５）に概略長方形状の端子（６）を設ける。（ハ）金属外導体（８）を本体モールド（５）の外側に設ける。以上を特徴とする。【選択図】    図１
2007018991.tif 000002
【特許請求の範囲】
【請求項１】
（イ）共通グランド端子（１）に折り返し部（２）を設け、細線同軸ケーブルに対応する部位に概略円形状の貫通孔（３）を設け、細線同軸ケーブルのケーブル外導体（９）がこの貫通孔（３）の下に位置する様に設けカシメる。
（ロ）ケーブル内導体（１１）を端子（６）のケーブル側の部位に半田付けなどにより接続する。
（ハ）金属外導体（８）を本体モールド（５）の外側に設ける。
以上の構成の細線同軸コネクタ。
【請求項２】
端子（６）のリセコネクタ側の端子の形状を概略長方形の板状としプラグコネクタの厚さ方向、つまり縦方向に配置した請求項１の細線同軸コネクタ。
【発明の詳細な説明】
【技術分野】
【０００１】この発明は、同軸ケーブルを横並びに配置したコネクタに関する物である。
【背景技術】
【０００２】従来、図２に示されるように同軸ケーブルの外導体をプラグコネクタの共通なアース用金属導体に半田付けしたり、ケーブルが横並びに一列配列としたコネクタが有った。
【発明の開示】
【発明が解決しようとする課題】
【０００３】そのためには次のような問題点があった。
（イ）各同軸線の外導体をコネクタの共通グランド端子に固定する方法が半田つけであったため寸法的に長くなり且つ作業性及び信頼性に問題があった。
（ロ）ケーブルが一列配列の場合、多極になると幅が広がり実装側の基板の配線に制約があった。
本発明はこれらの問題点を解決するためになされたものである。
【課題を解決するための手段】
【０００４】共通グランド端子を折り返し構造とし且つ貫通孔を設ける。リセコネクタと勘合する側の接点を概略長方形のストレート形状とする。ケーブルの配列及び端子の配列を二段構成とする。
以上を特徴とする細線同軸コネクタ。
【発明の効果】
【０００５】同軸ケーブルの外導体とコネクタの共通グランド端子との接続に半田付けが不要であるため信頼性が高く、作業性が良い。又寸法的に小型にできる。
【発明を実施するための最良の形態】
【０００６】以下に本発明の実施の形態について主に図１を用いて説明する。
（イ）共通グランド端子（１）に折り返し部（２）を設け、同軸ケーブルに対応する部位に概略円形状の貫通孔（３）を設ける。
（ロ）プラグコネクタ（４）の本体モールド（５）に概略長方形状の端子（６）を設ける。
（ハ）金属外導体（８）を本体モールド（５）の外側に設ける。
本発明は以上のような構成で、これを使用するときは、
同軸ケーブルをケーブル外導体（９）ケーブル内絶縁被覆（１０）ケーブル内導体（１１）が適正な長さになるように加工し、共通グランド端子（１）の貫通孔（３）にケーブル外導体（９）が位置する様に設け、カシメ、固定する、この後ケーブル内導体（１１）を端子（６）のケーブル側の一端に半田等により固定し、金属外導体（８）を本体モールド（５）に被せ設け、対応する基板などに実装されたリセコネクタ（１２）と勘合させ用いる。
この際図３に示される用にコネクタの端子の配置は１列構成でもかまわない。
又図４に示される様にリセコネクタと勘合するプラグコネクタの端子（６）を図２に示される従来の端子形状としても良い。
【図面の簡単な説明】
【０００７】
【図１】本発明のリセコネクタと勘合された断面図である。
【図２】従来のコネクタの勘合された断面図である。
【図３】本発明の一段構成の勘合された断面図である。
【図４】本発明の共通グランド端子を用い、従来の端子構造で一段構成の勘合された断面図である。
【符号の説明】
【０００８】１  共通グランド端子
２  折り返し部
３  貫通孔
４  プラグコネクタ
５  本体モールド
６  端子
７  ガイド孔
８  金属外導体
９  ケーブル外導体
１０  ケーブル内絶縁皮膜
１１  ケーブル内導体
１２  リセコネクタ
【図１】
2007018991.tif 000003
【図２】
2007018991.tif 000004
【図３】
2007018991.tif 000005
【図４】
2007018991.tif 000006
(57)【要約】【課題】      展示場やショーウインドーでの新刊や新製品などの実物とその説明や割引等のサービスがわかり、休日でも開店日に店に寄らずにその場で購買意欲が喚起され販売効果を発揮する。【解決手段】  ショーウインドー内の製品やショーウインドーにその製品の詳細データーが入ったＩＣチップやバーコード等を添付し、場所や店・時期による割引等のサービスデーターのＩＣチップやバーコード等を選択添付する。【選択図】      図１
2007018475.tif 000002
【特許請求の範囲】
【請求項１】
ショーウインドーや見本広告などに製品情報をＩＣチップやバーコード等に格納し、それを携帯電話や専用読み取り送信機器を利用して購買意欲の喚起および販売促進消費動向を把握すること。
【請求項２】
ショーウインドーや見本広告などに製品情報をＩＣチップやバーコード等に格納し、さらに割引サービス等の情報をＩＣチップやバーコード等に格納し、それを携帯電話や専用読み取り送信機器を利用して購買意欲の喚起および販売促進消費動向を把握すること。
【請求項３】
ＩＣチップ等を活用した販売・購入方法とるために、携帯電話やこの方法に利用可能な機器にそのデーターの読み取り・配信機能を付帯すること。
【請求項４】
ＩＣチップ等を活用した販売・購入方法とるための対象をタクシー・飛行機・電車・商店街・コンビニ・駅構内見本広告・街頭見本広告・自動販売機などとすること。
【発明の詳細な説明】
【技術分野】
【０００１】  本発明は、ショーウインドー内・街頭・商店街・無人自動販売機等での対象販売製品が一個か少量の用意でしかも休日にもまた、専門販売店でなくとも過疎地の消費者にも希望の製品が届きさらに商店街の活性化に役立つ販売・購入方法に関する。
【背景技術】
【０００２】  従来、製品を購入するのにデパートや専門店に出かけたり、テレビ・ラジオ・インターネット・通信販売等を利用していた。【０００３】  現在、履歴等のＩＣチップと価格のバーコードがついた製品はレジで買う必要がある。【０００４】  最近では、製品や新聞紙面・名刺・チラシ等にバーコード・二次元バーコード・ＩＣチップ等にそのデーターを格納し読み取り機などでその製品の詳細がわかり、さらに購入することも可能である。【０００５】  また、清涼飲料水の自動販売機では携帯電話で買うこともできる。【０００６】  しかし、その製品の実物を見て購入するにはデパートや専門店に出かけなければならず、特に新製品などは近くの商店などでは手に入りにくい。【０００７】  また、ショーウインドーや見本広告などを見て欲しいと思ってもサイズや規格など詳細がわからずしかも休日であった場合には開店日にまた出かけなければならない。【０００８】  さらに、紙面上や画面上のものでは実物をイメージするのに困難をともない、トラブルの原因となっている。【０００９】  しかも、その店や場所にある量の製品を確保しておかなければならず、製造元や販売店にとってリスクが多いため、売れ筋店舗などに限定され過疎地やお年寄りや子供が行きやすい近所の店舗等には特に新製品は置かれず消費者拡大にストップがかかっている。【００１０】  これまでのＩＣチップやバーコードデーターによる概要説明・購入では店舗や場所による価格サービス等は人的作業による説明で行なわれており、量販店にはかなわなかった。
【発明の開示】
【発明が解決しようとする課題】
【００１１】  解決しようとする問題点は休日でもショーウインドー・見本広告・車内・消費者の近所・街頭・過疎地等の場所を選ばず少量で製品の詳細と実物がわかり製造元・販売店・消費者が共に共栄できる販売・購入方法。
【課題を解決するための手段】
【００１２】  上記目的を達成するために、本発明の方法においては、ショーウインドー内の製品やショーウインドーにその製品の詳細データーが入ったＩＣチップやバーコード等を添付し、場所や店・時期による割引等のサービスデーターのＩＣチップやバーコード等を選択添付する。【００１３】  それを、散歩やウインドーショッピングをしている人が読み取り送信可能な携帯電話等や備え付けの専用読み取り送信機器で製品情報詳細と購入依頼をさせる。【００１４】  その場所はタクシー・飛行機・電車・商店街・コンビニ・駅構内見本広告・街頭見本広告・自動販売機など多岐にわたる。
【発明の効果】
【００１５】  展示場やショーウインドーでの新刊や新製品などの実物とその説明や割引等のサービスがわかり、休日でも開店日に店に寄らずにその場で購買意欲が喚起され販売効果が期待できる。【００１６】  これまで取り扱いが困難であった商店や街頭などでも自己の販売サービスにより販売可能となりしかも販売リベートが販売元から貰え、販売拡大にもなり販売元ではこれまでよりきめ細かい消費者動向がつかめる。【００１７】  それにより他の製品や関連しない品物も売れ、町の商店や商店街が活性化される。
【発明の実施するための最良の形態】
【００１８】ショーウインドー等に製品の詳細データーが入ったＩＣチップやバーコード等を添付し、場所や店・時期による割引等のサービスデーターのＩＣチップやバーコード等を選択添付し、それを携帯電話等や備え付けの専用読み取り送信機器で製品情報詳細と購入依頼をさせる。
【実施例】
【００１９】  ショーウインドーに製品を入れその製品の説明概要データーＩＣチップと、割引価格バーコードを添付し読み取り機器で読み取り、購入送信をしたところＩＣチップが読み取り機器と離れているにもかかわらず送信された。
【産業上の利用可能性】
【００２０】  休日でも開店日に店に寄らずにその場で購買意欲が喚起され販売効果が期待できる。【００２１】  その範囲はタクシー・飛行機・電車・商店街・コンビニ・駅構内見本広告・街頭見本広告・自動販売機など多岐にわたる。【００２２】取り扱いが困難であった商店や街頭などでも他の製品や関連しない品物も売れ、町の商店や商店街が活性化され細かい消費者動向がつかめる。
【図面の簡単な説明】
【００２３】
【図１】  ショーウインドー内での製品とその概要説明ＩＣチップと販売サービス概要説明バーコードおよびＰＯＰ広告と読み取り送信用携帯電話・専用読み取り送信機の概略図である。
【図２】  ＩＣチップ等を活用した販売・購入方法のシステム図である。
【符号の説明】
【００２４】    １  ショーウインドー
２  ＩＣチップ
３  バーコード
４  ＰＯＰ広告
５  製品
６  携帯電話
７  専用読み取り送信機
【図１】
2007018475.tif 000003
【図２】
2007018475.tif 000004
(57)【要約】【課題】電子メールを利用する際に、位置情報に基づいて送受信を行うことにより、伝言メールや場所ごとの備忘録メール又は、到着報告メール等を最適なタイミングで送受信を出来るようにする。【解決手段】ネットワークに接続する際に必要となるＤｅｆａｕｌｔ  ＧａｔｅｗａｙのＭＡＣアドレスにより利用場所を判断し、端末（ＰＣ・ＰＤＡ・無線ＬＡＮ内臓携帯電話・ＩＰ携帯電話・ゲーム機等）から、ネットワークに接続した際、専用サーバにアクセスして、サーバへの認証情報と共に位置情報を付加して送り利用場所に適した電子メールのやり取りが出来るようになる。【選択図】図１
2007018479.tif 000002
【特許請求の範囲】
【請求項１】
Ｄｅｆａｕｌｔ  Ｇａｔｅｗａｙの機器が持つＭＡＣアドレスにより、接続した際の位置を判断し利用端末にダウンロードしたアプリケーションをバックグランドで動かしておくことでネットワークにログイン後、専用サーバアクセスし接続場所をサーバに知らせる事により場所に適したメールを送受信できるシステム。
【請求項２】
これにより指定先への到着報告等の電子メールの送信。利用者の場所ごとの備忘録の呼び出しや、利用者へ第三者からの伝言メールの受信を実現。
【発明の詳細な説明】
【技術分野】
【０００１】  本発明は電子メールの送受信に関するものであり、情報に利用場所を付加することにより、利用場所に適したメールを送受信できるようにしたものである。
【背景技術】
【０００２】  近年、インターネットの普及に伴い、電子メール（ｅ−ｍａｉｌ）が仕事やプライベートで、大いに活用され、現在ではなくてはならないシステムとなっている
【発明の開示】
【発明が解決しようとする課題】
【０００３】  しかしながら、従来の電子メールのシステムでは、利用場所の判断をもっていないため、位置情報に関連する電子メールの送受信をするためには利用者の相当な手間を要した。
【課題を解決するための手段】
【０００４】  この課題を解決するための請求項目１の発明は、利用者が端末をネットワークに接続する際に必要となるＤｅｆａｕｌｔ  ＧａｔｅｗａｙのＭＡＣアドレスにより利用場所を判断する専用アプリケーションを端末（ＰＣ・ＰＤＡ・無線ＬＡＮ内臓携帯電話・ＩＰ携帯電話・ゲーム機等）にインストールしバックグランドで動かしておくことにより、ネットワークに自動及び手動で接続した際、専用サーバにアクセスして、サーバへの認証情報と共に位置情報を付加して送り利用場所に適した電子メールのやり取りが出来るようになる。【０００５】  また、請求項目２の発明は、端末の利用場所を付加することでサーバに事前に登録した送信先に、登録したメッセージで、例えば自宅等への到着報告メールを送信する事や、利用者自身の場所ごとの備忘録メール及び第三者からの伝言メール等の受信を実現できる。【０００６】  アプリケーションには自動アクセスの機能をたせることで、設定しだいで、利用者は、アプリケーションの特別の操作を必要とせず、電子メールの送受信が可能となる。【０００７】
【発明の効果】本発明にあっては次に列挙する効果が得られる。【０００８】  アプリケーションをインストールした端末を持っておくことで、到着メールを第三者に送る事が出来る。【０００９】この事により、子供の安全を確認する事や、送信者の読んでほしい最善のタイミングで伝言メールを見て貰うことが出来る。【００１０】  自分宛にメールを送っておくことにより、場所ごとに備忘録メールを受け取れるので、時間のみで通知される従来のスケジュールでは困難であった場所による予定の通知を簡単に受けられる。【００１１】  この発明の優れた点は、端末にアプリケーションをインストールし提供者より払い出されたＩＤ及びパスワードを使用する事で、接続環境（有線・無線・アクセス回線・契約プロバイダ）及び端末が変わっても、本発明を利用できる。
【発明を実施するための最良の形態】
【００１２】  ＭＡＣアドレスと利用場所の関係は家庭や会社等のプライベートなネットワークならアプリケーションのインストール後、利用場所毎に最初のログイン時に手動設定する。設定時は、利用場所を項目の中から選ぶか、利用者が任意に名前をつけることも可能とし、利用者が使いやすくカスタマイズ出来るようにする。【００１３】  この際、複数の拠点を設定することも可能だが、自宅・会社・外出先  等、大まかに設定する事もできるようにする。（それほど細かく拠点を設定する必要がないと思われるため）【００１４】  公衆無線ＬＡＮサービスを利用しての接続の際は、手動登録も可能だが、提供業者が設置したアクセスポイントのＭＡＣアドレスと位置情報を関連付けしたデータベースを作成し、そのデータベースを利用することでアプリケーションから登録できるようにする。【００１５】  アプリケーションにはアクセス回線にあった接続設定を持っており利用者の事前の設定により自動又は手動でインターネットへ接続をし、専用サーバにログインする。自動接続の際は利用者の特別な操作なく今回の発明を活用出来る。【００１６】  メールを送る側はユーザ登録をして同じアプリケーションをインストールするか、専用サーバに接続しＷｅｂ上から操作する事により、利用者の登録した場所を確認してメールを送る事が出来る。この際、登録先の情報は送信先のメールアドレスによりサーバと照合する。【００１７】  発明をサーバで提供する事で、利用者及び、第三者は環境毎のアカウントやメールアドレス等の管理をする必要がなくなり、手間を省くことができる。【００１８】  ユーザ登録をしていない又は、出来ない第三者には場所毎にメールアドレスを作成するサービスを利用して、必要なアドレスのみを第三者に通知する事により発明が利用できる。【００１９】  利用場所を選択せず送信（図３）する事で、場所を選ばず受信させる事や通常の携帯電話（図１・２）への転送機能を持たせることで、利用場所の項目の中から「今すぐ」（図３）を選ぶ事により、端末での電子メールの受信状態になくてもメールを受信させることが可能となる。【００２０】  端末や通常の携帯からもサーバにアクセスする事により受信しているすべての受信メールを確認する事が出来る。【００２１】  利用者のプリケーションの操作ですべてのメールを一括受信する事も可能とする。
【産業上の利用可能性】
【００２２】  本発明は、公衆無線ＬＡＮを提供しているインターネットサービスプロバイダ（ＩＳＰ）等で提供するサービス等で、産業上の利用可能性を有する。
【図面の簡単な説明】
【００２３】
【図１】発明を利用するためのネットワーク構成図である。
【図２】発明の利用方法を示したフローチャート図である。
【図３】発明を利用しアプリケーションからメールを送信する際のサンプル画面である。
【符号の説明】
【００２４】１  発明を可能とするメールサーバやＷｅｂサーバ等２  通常の携帯電話３  無線ルータ・公衆無線ＬＡＮのアクセスポイント等４  ルータ・モデム等５  無線ＬＡＮ内臓携帯電話・ＩＰ携帯電話６  ＰＣ・ＰＤＡ・ゲーム機等
【図１】
2007018479.tif 000003
【図２】
2007018479.tif 000004
【図３】
2007018479.tif 000005
(57)【要約】【課題】ヒモやピンを抜く動作がいらず、本発明を倒すだけで警報と光が発生する警報システムを提供する【解決手段】（イ）スイッチ▲４▼▲５▼▲１２▼▲１３▼におもり▲７▼を接触させる事によりスイッチが入り警報機能が機能する。スイッチ▲４▼▲５▼▲１２▼▲１３▼におもり▲７▼を接触させるにはケース▲９▼を傾けるだけで機能する点を特徴とする。【選択図】図１
2007018471.tif 000002
【特許請求の範囲】
【請求項１】
（イ）警報機能▲１▼と発光機能▲２▼を設け電源部▲３▼から電源をとる
（ロ）枠▲６▼のおもり▲７▼がスイッチ▲４▼又はスイッチ▲５▼又はスイッチ▲１２▼又はスイッチ▲１３▼に接触する事により警報システムが機能する
以上の構成からなる転倒式警報システム
【請求項２】
（ハ）請求項１の枠▲６▼に磁石▲８▼を設置する
（ニ）請求項１の枠▲６▼に絶縁体のストッパー▲１０▼▲１１▼▲１４▼▲１５▼を設置する
以上の構成からなる転倒式警報システムの誤報防止機能
【発明の詳細な説明】
【技術分野】
【０００１】この発明は、転倒することにより警報が鳴り光が発光する防犯用品に関するものである
【背景技術】
【０００２】従来、防犯用品としてヒモやピンを抜くタイプが利用されているが、ヒモやピンの位置をつねに意識しないといけない不便さが生じる。
【発明の開示】
【発明が解決しようとする課題】
【０００３】しかし、従来のような防犯用品はヒモやピンを抜く動作が必要である為、自転車等のハンドルなどを持って急な動作が出来ない場面がある。
本発明は、このような非常時にも対応出来る事を課題とする
【課題を解決するための手段】
【０００４】  この課題を解決するための請求項１の発明は、
（イ）警報機能▲１▼を電源部▲３▼の片極に配線する
（ロ）発光機能▲２▼を電源部▲３▼の片極に配線する
（ハ）（イ）（ロ）の電源部▲３▼の逆極からスイッチ▲４▼に配線する
（ニ）（ハ）と同様に電源部▲３▼からスイッチ▲５▼に配線する
（ホ）（ハ）と同様に電源部▲３▼からスイッチ▲１２▼に配線する
（ヘ）（ハ）と同様に電源部▲３▼からスイッチ▲１３▼に配線する
（ト）スイッチ▲４▼から警報機能▲１▼に配線する
（チ）スイッチ▲４▼から発光機能▲２▼に配線する
（リ）スイッチ▲５▼から警報機能▲１▼に配線する
（ヌ）スイッチ▲５▼から発光機能▲２▼に配線する
（ル）スイッチ▲１２▼から警報機能▲１▼に配線する
（ヲ）スイッチ▲１２▼から発光機能▲２▼に配線する
（ワ）スイッチ▲１３▼から警報機能▲１▼に配線する
（カ）スイッチ▲１３▼から発光機能▲２▼に配線する
（ヨ）傾斜を設けた枠▲６▼に電気を通す材質のおもり▲７▼を設置する
（タ）上記（イ）から（ヨ）を収納ケース▲９▼に設置する
以上の構成からなる転倒式警報システム
使用する時は、おもり▲７▼がスイッチ▲４▼▲５▼▲１２▼▲１３▼のどれかに接触する事により警報システムが機能する【０００５】  この課題を解決するための請求項２の発明は、
（レ）請求項１の枠▲６▼に磁石▲８▼を設置する
（ソ）請求項１の枠▲６▼に絶縁体のストッパー▲１０▼▲１１▼▲１４▼▲１５▼を設置する
以上の構成からなる転倒式警報システムの誤報防止機能
使用する時は、磁石を設置する事によりおもりが磁気に反応し、スイッチまで届かない。また、ストッパーを設置する事によりおもりが動いてもスイッチが反応しない。
【発明の効果】
【０００６】本発明によりヒモやピンを抜く動作がいらず、転倒する事で警報と光が発生する様に設計した警報システムである。
【発明を実施するための最良の形態】
【０００７】以下、本発明の請求項１を実施する為の最良の形態について説明する。
図１は、枠▲６▼に電気を通すおもり▲７▼を設置し、おもり▲７▼がスイッチ▲４▼▲５▼▲１２▼▲１３▼のどれかに接触する事により電気が流れ警報機能▲１▼と発光機能▲２▼が作動する構造になっている。本発明は、以上のような構造でこれを使用する時は、ケース▲９▼を傾けると機能する。【０００８】以下、本発明の請求項２を実施する為の最良の形態について説明する。
請求項１は、警報システムを傾けると機能する為、誤報防止として磁石▲８▼とストッパー▲１０▼▲１１▼▲１４▼▲１５▼を設置する。
【実施例１】
【０００９】自転車のサドル下に設置し、自転車が倒れると警報システムが作動して音と光が発生する。解除する場合は、そのまま自転車を起こせば警報システムが解除出来る。そこで、事故で転倒した時は音と光が作動するので周りの人に異常を知らせる事が出来る。
【実施例２】
【００１０】転倒の恐れがあるタンス等に設置すると暗闇の地震等でタンスが倒れても非難時にタンスが倒れている危険を警報システムが知らせてくれる。そこで逃げ遅れによる二次被害やパニックを軽減出来る。
【図面の簡単な説明】
【００１１】
【図１】本発明の分解図である。
【符号の説明】
【００１２】  １  警報機能
２  発光機能
３  電源部
４  スイッチ
５  スイッチ
６  枠
７  おもり
８  磁石
９  ケース
１０  ストッパー
１１  ストッパー
１２  スイッチ
１３  スイッチ
１４  ストッパー
１５  ストッパー
【図１】
2007018471.tif 000003
(57)【要約】【課題】微細なＲＦＩＤ素子を有する回数券を受領したとき、他装置に回数券を移動させることなく、回数券の真贋判定を行う。【解決手段】回数券受領者の手袋にＲＦＩＤ素子と通信を行うアンテナを配置する。【選択図】図１
2007018464.tif 000002
【特許請求の範囲】
【請求項１】
道路、鉄道、遊技場、劇場などで使用する、微細なＲＦＩＤ素子（ミューチップなどと呼ばれる、非接触通信機能を持つＩＣ素子）を有する回数券の受領時における真贋判定にあたり、回数券受領者の手袋（指サックを含む）に配置したアンテナによりＲＦＩＤ素子と通信を行うことを特徴とした瞬時回数券真贋判定装置。
【発明の詳細な説明】
【技術分野】
【０００１】  本発明は、利用者から提出されたＲＦＩＤ回数券の真贋判定装置に関するものである。
【背景技術】
【０００２】  従来の回数券は、文字や図形の印刷精度、磁気コード等によりその真贋を判定する方式であり、有人運用上は利用者から提出された回数券を受領者が目視または機械挿入することにより真贋判定を行っているが、目視の場合は真贋判定の精度が著しく低く、機械挿入による場合は偽造回数券において挿入／判定／排出に数秒を要し、偽造回数券を発見しても回数券提出者が既に通り過ぎており、不正通過者を阻止することは困難であった。【０００３】  近年、微細なＲＦＩＤチップを内蔵した回数券（ＲＦＩＤ回数券）が使用可能となり、ＲＦＩＤ回数券の真贋判定の精度は著しく高くなったが、微細ＲＦＩＤチップの通信距離が短いため、回数券受領者が回数券を受け取り読取装置に接近／判定する方式であり、偽造回数券を発見しても回数券提出者が既に通り過ぎており、従前同様に不正通過者を阻止することは困難であった。
【発明の開示】
【発明が解決しようとする課題】
【０００４】  解決しようとする問題点は、微細ＲＦＩＤチップの通信距離が短いため、回数券受領者が偽造回数券受領時に、真贋判定装置等にＲＦＩＤ回数券を移動し判定結果を得るため、回数券提出者と目線がはなれること、および回数券移動に１秒前後の時間を要することである。
【課題を解決するための手段】
【０００５】  回数券受領者の手に装着可能な手袋にＲＦＩＤチップとの通信用アンテナを配置し、ＲＦＩＤ回数券と通信を行うことにより、他装置に回数券を移動させることなく、回数券の真贋判定を行う。
【発明の効果】
【０００６】  回数券受領者の手に装着可能な手袋にＲＦＩＤチップ用のアンテナを配置し、ＩＤを読み取り真贋判定を行うため、回数券受領者が回数券を受け取り真贋判定装置に回数券を移動させる動作が不要となり、瞬時に回数券真贋判定が行え、単位時間の通過量を増大させることができ、また偽造回数券発見の場合は、回数券受領時に利用者の手を握り締めることも可能となり、偽造回数券利用者の通過率を低下できる利点がある。
【発明を実施するための最良の形態】
【０００７】  渡されたＲＦＩＤチップ内蔵回数券のＩＤを瞬時に真贋判定可能とするため、手袋の指部または指サックにアンテナを配置する。
【実施例１】
【０００８】  図１は本発明装置の構成図であり、１は真贋判定処理部、２は真贋判定結果の音声通知部、３は真贋判定結果の視覚通知部、４はアンテナと真贋判定処理部とを結ぶアンテナケーブル、５はアンテナケーブルと手袋を切り離し可能とするケーブルコネクター、６は手袋内に配置した柔構造のＲＦＩＤ素子通信用アンテナ、７はアンテナを配置した手袋である。
【実施例２】
【０００９】  図２は道路における具体的な実施例である。８は料金所ブース、９は料金収受係員、１０はアンテナを配置した手袋、１１は真贋結果通知を行う通行車両用表示器（スピーカ内蔵）、１２はＲＦＩＤ素子内蔵回数券、１３は回数券提出者、１４は回数券提出者が運転する通過車両である。
【産業上の利用可能性】
【００１０】  道路、鉄道、遊技場、劇場などの回数券受領時における真贋判定処理。
【図面の簡単な説明】
【００１１】
【図１】瞬時回数券真贋判定装置の構成図である。
【図２】瞬時回数券真贋判定装置の道路における実施例である。
【符号の説明】
【００１２】１．真贋判定処理部
２．音声通知部
３．視覚通知部
４．アンテナケーブル
５．ケーブルコネクター
６．柔構造のＲＦＩＤ素子用通信アンテナ
７．アンテナ配置手袋
８．料金所ブース
９．料金収受係員（回数券受領者）
１０．アンテナ配置手袋
１１．通行車両用表示器（スピーカ内蔵）
１２．ＲＦＩＤ素子内蔵回数券
１３．回数券提出者
１４．通過車両
【図１】
2007018464.tif 000003
【図２】
2007018464.tif 000004
(57)【要約】【課題】接続端子のハウジングの端子収容孔への挿入時に挿入誤りがなくなるようにする。【解決手段】コネクタハウジング１の後面には、電線２付きの接続端子３を収容するための端子収容孔４の入口部が設けられている。接続端子３の上側表面に、接続端子３を上向きにして挿入すべきことを示す例えば塗料５が塗布され、コネクタハウジング１の上面の一部にも同色の塗料６が塗布されている。  接続端子３の挿入に際し、左手でコネクタハウジング１を持ち、右手で接続端子３を持ち、コネクタハウジング１の塗料６に合わせて、接続端子３に塗布された塗料５の位置を上向きにして端子収容孔４に挿入する。【選択図】図１
2007018897.tif 000002
【特許請求の範囲】
【請求項１】
コネクタハウジング内にその後方の端子収容孔から挿入する接続端子において、該接続端子の一部にその挿入姿勢の基準となるマークを付記したことを特徴とするマーク付接続端子。
【請求項２】
前記マークは塗料による着色としたことを特徴とする請求項１に記載のマーク付接続端子。
【請求項３】
前記塗料は蛍光塗料としたことを特徴とする請求項１に記載のマーク付接続端子。
【請求項４】
前記コネクタハウジングの表面に前記マークと同色の塗料を塗布した請求項１に記載のマーク付接続端子。
【発明の詳細な説明】
【技術分野】
【０００１】
本発明は、コネクタハウジングに内蔵するマーク付接続端子に関するものである。
【背景技術】
【０００２】
コネクタハウジングは相手側コネクタハウジングと嵌合して、内部に収容した接続端子同士を電気的に接続する機能を有している。接続端子をコネクタハウジングに収容するには、電線を接続した接続端子をコネクタハウジングの後方から１個ずつ所定の端子収容孔に挿入する。
【発明の開示】
【発明が解決しようとする課題】
【０００３】
しかし、この接続端子を端子収容孔に挿入する際には、必ずしも接続端子を上側に揃えて挿入とは限らない。接続端子の収納の効率を考慮して、或る接続端子は表側を上にして、或る接続端子は裏側を上にして挿入することがある。
【０００４】
このような場合に、不慣れな作業者によると、例えば裏返しで挿入すべきものを表側を上にして押し込んでしまうなどの挿入誤りをする虞れがある。この場合に無理矢理に挿入すると、端子収容孔を損傷したり、引き出すことができなくなることもある。
【０００５】
この挿入誤りを起こしたコネクタハウジングを使用すれば、相手側コネクタハウジングとの嵌合抵抗等が極めて大きくなったり、操作性に不具合が生ずることが多い。
【０００６】
本発明の目的は、上述の課題を解決し、接続端子のハウジングの端子収容孔への挿入時に挿入誤りを少なくするマーク付接続端子を提供することにある。
【課題を解決するための手段】
【０００７】
上述の目的を達成するための本発明に係るマーク付接続端子の技術的特徴は、コネクタハウジング内にその後方の端子収容孔から挿入する接続端子において、該接続端子の一部にその挿入姿勢の基準となるマークを付記したことにある。
【発明の効果】
【０００８】
本発明に係るマーク付接続端子によれば、接続端子ごとにその一部にマークを付し、このマークを挿入姿勢の基準とすることにより、挿入誤りの発生を防止する。
【発明を実施するための最良の形態】
【０００９】
本発明を図示の実施例に基づいて詳細に説明する。
図１はコネクタハウジングの斜視図を示し、相手側コネクタハウジングと嵌合し、それぞれに収容した接続端子同士を電気的に接続する機能を有している。コネクタハウジング１の後面には、電線２付きの接続端子３を収容するための端子収容孔４の入口部が設けられている。
【００１０】
この場合の接続端子３は例えば平刃端子であり、その上側表面に、接続端子３を上向きにして挿入すべきことを示す例えば赤色の塗料５が塗布されている。また、コネクタハウジング１の上面の一部にも同色の塗料６が塗布されている。
【００１１】
また、裏側を上に向けて挿入すべき場合には、図２に示すように接続端子３の裏側に塗料５が塗布されている。
【００１２】
この接続端子３の挿入に際しては、例えば左手でコネクタハウジング１を持ち、右手で接続端子３の基部を持って、コネクタハウジング１の塗料６に合わせて、接続端子３に塗布された塗料５の位置を上向きにして、端子収容孔４に挿入をすればよい。
【００１３】
コネクタハウジング１に挿入された接続端子３は、コネクタハウジング１内に設けられた係止ランスを押し上げながら潜り抜け、所定位置まで挿入されると、係止ランスが復元して接続端子３を係止し、その後抜けを防止することになる。
【００１４】
なお、塗料５の塗布個所は相手側接続端子と導電的に接触しない個所に塗布することが望ましいことは勿論である。
【００１５】
なお、接続端子３に塗布した塗料５、コネクタハウジング１に塗布した塗料６を蛍光塗料とすれば、夜間においても見分けが付き、作業が容易となる。
【図面の簡単な説明】
【００１６】
【図１】コネクタハウジング、接続端子の斜視図である。
【図２】接続端子の斜視図である。
【符号の説明】
【００１７】
１  コネクタハウジング
２  電線
３  接続端子
４  端子収容孔
５、６  塗料
【図１】
2007018897.tif 000003
【図２】
2007018897.tif 000004
(57)【要約】【課題】  使用時には操作性を重視するために通常の大きさで、輸送時には携帯的に大きさを小さくできるコンピュータ用マウスを提供する。【解決手段】本体（１）上部中心に回転部品と（２）を取り付ける。そしてその回転部品（２）で操作・収納部（３）をつなぎ、一体化することを特徴とする。【選択図】    図１
2007018115.tif 000002
【特許請求の範囲】
【請求項１】
本体（１）上部中心に回転部品（２）を取り付け、その回転部品（２）を介して操作・収納部（３）を連結可能とし、本体（１）と操作・収納部（３）を一体化した大きさ可変のコンピュータ用マウス。
【発明の詳細な説明】
【技術分野】
【０００１】
この発明は、使用時には操作性を重視するために通常の大きさで、輸送時には携帯的に大きさを小さくできるコンピュータ用マウスに関するものである
【背景技術】
【０００２】
従来のコンピュータ用マウスは大きさが固定されており、手のひらにちょうど収まる通常サイズのものは操作性は良好だが持ち運びの際にかさばり、逆に携帯性重視の小さなマウスは持ち運びの際はかさばらないが、小さすぎて操作しにくい点があった。
【発明の開示】
【発明が解決しようとする課題】
【０００３】
これには次のような欠点があった。
通常サイズのコンピュータ用マウスは持ち運びに不便である。
携帯性重視サイズのコンピュータ用マウスは操作しにくい。
両特性を満足するには別々にそれぞれのコンピュータ用マウスを用意しなければならない。
本発明は、以上の欠点を解決するためになされたものである。
【課題を解決するための手段】
【０００４】
本体（１）上部中心に回転部品（２）を取り付ける。そしてその回転部品（２）で操作・収納部（３）を連結可能とし、本体（１）と操作・収納部（３）を一体化する。
本発明は、以上の構成よりなる大きさ可変のコンピュータ用マウスである。
【発明の効果】
【０００５】
本発明を使用することによって、ひとつのコンピュータ用マウスで使用操作性の向上と輸送時の携帯性の両特性を両立することができる。それぞれの用途に合わせて別々にコンピュータマウスを用意する必要もなくなり、経済的である。
【発明を実施するための最良の形態】
【０００６】
以下、本発明の実施の形態を説明する。
中央下部に収納スペースを設けた本体（１）の上部中心に回転部品を（２）を取り付ける。
回転部品（２）を操作ボタンやホイールを装備した操作・収納部（３）の上部と接続し、一体化する。
本発明は、以上の構成よりなっている。
本発明を使用するときは、使用操作時は操作・収納部（３）を水平方向に回転させながら全長が最大になる地点まで引き出すことにより、操作のしやすい大きさにすることが可能となる。輸送携帯時には逆に操作・収納部（３）を水平方向に回転させながら全長が最小になる地点まで押し戻すことにより持ち運びのしやすい大きさにすることが可能となる。
【図面の簡単な説明】
【０００７】
【図１】本発明の斜視図
【図２】本発明の分解斜視図
【図３】本発明の使用状態を示す斜視図
【図４】本発明の操作・収納部の収納時の斜視図
【符号の説明】
【０００８】
１.本体
２.回転部品
３.操作・収納部
【図１】
2007018115.tif 000003
【図２】
2007018115.tif 000004
【図３】
2007018115.tif 000005
【図４】
2007018115.tif 000006
(57)【要約】      （修正有）【課題】ユニットの実装効率を上げることが可能なラックの実装構造を提供する。【解決手段】発熱部品を実装した発熱ユニット２と、発熱ユニットを冷却するファンを上面に実装したファンユニット３とを上下に隣接させて取り付けるラックの実装構造において、ファンユニット３の側面及び背面の少なくとも一面に空気の吸気口を有し、ファンユニット３の下に、発熱部品を実装した別の発熱ユニット５または非発熱部品を実装した非発熱ユニットを隣接させて取り付けるようにしたことを特徴とする。【選択図】図１
2007081194.tif 000002
【特許請求の範囲】
【請求項１】
発熱部品を実装した発熱ユニットと、該発熱ユニットを冷却するファンを上面に実装したファンユニットとを上下に隣接させて取り付けるラックの実装構造において、前記ファンユニットの側面及び背面の少なくとも一面に空気の吸気口を有し、前記ファンユニットの下に、発熱部品を実装した別の発熱ユニットまたは非発熱部品を実装した非発熱ユニットを隣接させて取り付けるようにしたことを特徴とするラックの実装構造。
【発明の詳細な説明】
【技術分野】
【０００１】
本発明は、発熱部品を実装した発熱ユニットと、発熱ユニットを冷却するファンを上面に実装したファンユニットとを上下に隣接させて取り付けるラックの実装構造に関する。
【背景技術】
【０００２】
図３は、従来のラックの実装構造の具体例を示す図である。（ａ）は正面図、（ｂ）は中央断面の側面図である（文献公知発明に係るものではない）。
【０００３】
図３において、１はラック、２は発熱部品を実装した発熱ユニットの一例としてのパワーアンプユニット、３はファンを上面に実装したファンユニット、４は空気取り入れスペース確保用のブランクパネルである。
【０００４】
また、５は発熱部品を実装した発熱ユニットの他の例としての電源ユニット、６はファンを上面に実装したファンユニット、７は空気取り入れスペース確保用のブランクパネルである。
【０００５】
各ユニットのラック１への具体的な取り付けは、図示していないが、各ユニットの左右端部に設けた穴にネジをいれ、ネジをラック１に設けたネジ穴にねじ込むことで取り付けている。
【発明の開示】
【発明が解決しようとする課題】
【０００６】
図３に示すように、発熱部品を実装した発熱ユニット２，５に対して、発熱ユニットを冷却するファンユニット３，６を取り付けるが、ファンユニット３，６に空気を取り入れるブランクパネル４，７を必要とするので、ラックへのユニット実装効率が悪い。
【０００７】
例えば図３においては、制御ユニットを実装するスペースがないため、標準サイズよりもコストが高い特注のラックを製造するか、もしくは、制御ユニットを実装するためのラックをもう１本ふやさなければならないという欠点があった。
【０００８】
本発明の目的は、ユニットの実装効率を上げることが可能なラックの実装構造を提供することにある。
【課題を解決するための手段】
【０００９】
本発明は、発熱部品を実装した発熱ユニットと、該発熱ユニットを冷却するファンを上面に実装したファンユニットとを上下に隣接させて取り付けるラックの実装構造において、前記ファンユニットの側面及び背面の少なくとも一面に空気の吸気口を有し、前記ファンユニットの下に、発熱部品を実装した別の発熱ユニットまたは非発熱ユニットを隣接させて取り付けるようにしたことを特徴とする。
【発明の効果】
【００１０】
本発明によれば、従来のラックにおいて必要としていたブランクパネルをはぶくことができるため、ユニットの実装効率を上げることが可能なラックの実装構造を得ることができる。したがって、特注のラックを製造せず、また、ラックをもう１本ふやさなくとも、別のユニットを実装することができる。
【発明を実施するための最良の形態】
【００１１】
本発明に係る実施の形態について、図面を用いて説明する。
【００１２】
図１は、本発明に係るラックの実装構造の実施の形態を示す図である。（ａ）は正面図、（ｂ）は中央断面の側面図である。図１において、１はラック、２は発熱部品を実装した発熱ユニットの一例としてのパワーアンプユニット、３はファンを上面に実装したファンユニットである。
【００１３】
また、５は発熱部品を実装した発熱ユニットの他の例としての電源ユニット、６はファンを上面に実装したファンユニットである。また、８は非発熱部品を実装した非発熱ユニットの例としての制御ユニットである。
【００１４】
各ユニットのラック１への具体的な取り付けは、図示していないが、各ユニットの左右端部に設けた穴にネジをいれ、ネジをラック１に設けたネジ穴にねじ込むことで取り付けている。
【００１５】
ここで、ファンユニット３，６は、図２の構成となっている。すなわち、ファンユニット３，６は、ファン９を上面に実装した平面３ａと、平面３ａより下に折り曲げて形成した両側面および背面３ｂを有し、両側面および背面３ｂに空気の吸気口３ｃを設けている。
【００１６】
なお図２では左側面および背面がみえていないが、側面と同様左側面および背面にも空気の吸気口を設けている。またファンユニット３，６は、平面部３ａより下に折り曲げて形成した前面を有し、前面にマウント板１０を取り付けている。
【００１７】
ファンユニット３，６が、図２の構成となっているため、ファンユニット３，６へは、空気がラック１の背面から空気の吸気口３ｃを通って空気の吸気口３ｃ内に流入し、空気がファン９の下から上方向に流れて、パワーアンプユニット２，電源ユニット５を冷却する。
【００１８】
よって、本実施の形態では、従来のラックにおいて必要としていたブランクパネルをはぶくことができ、従来のラックにおいては実装できなかった制御ユニット８を実装することができるので、ユニットの実装効率を上げることが可能なラックの実装構造を得ることができる。したがって、特注のラックを製造せず、また、ラックをもう１本ふやさなくとも、別のユニットを実装することができる。
【００１９】
また、ラックが、放送用中継機器用のラックの場合には、放送局の数例えば５局分のパワーアンプユニット、ファンユニット、電源ユニット、ファンユニット、制御ユニットなどを実装することが必要である。従来はさらにブランクパネルを２つずつ、合計１０個のブランクパネルを実装しなければならないが、本実施の形態を用いると、合計１０個のブランクパネルを実装しなくてすむので、実装効率が顕著に良い。
【図面の簡単な説明】
【００２０】
【図１】本発明に係るラックの実装構造の実施の形態を示す図である。
【図２】本発明に係るファンユニットの構成の例を示す図である。
【図３】従来のラックの実装構造の具体例を示す図である。
【符号の説明】
【００２１】
１：ラック、２：パワーアンプユニット、３：ファンユニット、３ａ：平面、３ｂ：側面および背面、３ｃ：空気の吸気口、４：ブランクパネル、５：電源ユニット、６：ファンユニット、７：ブランクパネル、８：制御ユニット、９：ファン、１０：マウント板。
【図１】
2007081194.tif 000003
【図２】
2007081194.tif 000004
【図３】
2007081194.tif 000005
(57)【要約】【課題】  近年は、環境汚染防止等の対策から、鉛フリーはんだを使用することにより、部品のはんだ付け温度が、鉛入りはんだ使用時より高温である場合が多くなってきたため、部品実装工程時及びその工程を経たプリント配線基板は、一層反りが大きくなってきた。【解決手段】  プリント配線基板の長手方向が、プリント基板のガラス布の繊維方向に対して、ほぼ９０度となるように製品部を配置する。これにより、リフロー温度等の部品実装工程時での加熱温度や、製造後の製品の温度環境が上昇しても、反りが少ないプリント配線板を実現することができる。【選択図】  図１
2007081072.tif 000002
【特許請求の範囲】
【請求項１】
プリント配線基板の長手方向が、該プリント配線基板を構成するプリント基板のガラス布の繊維方向に対して、ほぼ９０度となるように製品部を配置し、製造工程時に基板の反りを少なくしたことを特徴とするプリント配線基板。
【発明の詳細な説明】
【技術分野】
【０００１】
本発明は、加熱時の反りが小さいプリント基板に関わる。
【背景技術】
【０００２】
従来は、例えば、プリント配線板に部品を実装する製造工程時（部品実装工程時、例えば、リフローはんだ付け時もその１工程である。）に基板が反ってしまう。特に厚みが薄いプリント基板に多い。このために、プリント配線板の部品実装時の（１）基板の面積を小さくする。（２）基板捨て分に銅箔を残す。等の方策を取っていた。
なお、記載すべき先行技術文献は見つからなかった。
【発明の開示】
【発明が解決しようとする課題】
【０００３】
前述の従来技術では、例えば、部品実装工程時のプリント基板の面積を小さくする必要があるため、製品部分の取り数が少なく原価が高くなる欠点があった。
特に、近年は、環境汚染防止等の対策から、鉛フリーはんだを使用することにより、部品のはんだ付け温度が、鉛入りはんだ使用時より高温である場合が多くなってきたため、部品実装工程時及びその工程を経たプリント配線基板は、一層反りが大きくなってきた。これは、銅箔を残していても、同様であった。
本発明の目的は、上記のような欠点を除去し、プリント配線板の板厚が薄くても、基板が反り難く、このため、部品実装工程時の基板寸法を大きくできるプリント配線板を提供することにある。
【課題を解決するための手段】
【０００４】
上記の目的を達成するために、本発明のプリント配線基板は、プリント配線基板の長手方向が、プリント基板のガラス布の繊維方向に対して、ほぼ９０度となるように製品部を配置する。これにより、リフロー温度等の部品実装工程時での加熱温度や、製造後の製品の温度環境が上昇しても、反りが少ないプリント配線板を実現することができる。
【発明の効果】
【０００５】
本発明によれば、リフロー温度等の部品実装工程時での加熱温度や、製造後の製品の環境温度が上昇しても、反りが少ないプリント配線板を実現できる。
【発明を実施するための最良の形態】
【０００６】
以下、本発明の一実施例を図１によって説明する。図１は、本発明の一実施例を説明するためのプリント配線基板の平面図である。図１において、11 〜 22 はそれぞれ製品部、1 は、複数の製品部 11 〜 22 を部品実装工程時の１枚（１単位）とした多面取基板、2 はプリント基板の繊維方向を示す矢印、31 は製品部 11 〜 22 の長手方向を示す矢印である。
図１において、プリント配線基板（多面取基板 1 及びその内部の製品部 11 〜 22 には、例えば、銅箔等のパターン化された様子は省略している。また、多面取の場合には、通常、その境目は、ミシン目にしたり、V 溝を作ったりするが、図１の実施例では省略している。
【０００７】
図１に示すように、本発明では、プリント配線板 1 の各製品部 11 〜 22 の長手方向（矢印31 ）に対して繊維方向（矢印 2 ）がほぼ９０度となる様にしている。
製品部の長手方向とプリント基板の繊維方向が同じである時に比べれば、長手方向の繊維が分断されるため熱により、ガラス繊維が収縮しても基板の反りの影響が少なくなるために、安定したプリント配線板が実現できる。
【０００８】
以上のように本発明によれば、鉛フリーはんだを使用すること等によるリフロー温度上昇など、部品実装工程時の温度上昇にも、更に、製造後の製品の環境温度が上昇しても、基板の反りが少ないプリント配線板を実現できる。
【図面の簡単な説明】
【０００９】
【図１】本発明の一実施例を説明するためのプリント配線基板の平面図。
【符号の説明】
【００１０】
1：多面取基板、  2：プリント基板の繊維方向を示す矢印、  11〜22：製品部、  31：製品部の長手方向を示す矢印。
【図１】
2007081072.tif 000003